(57)【要約】【課題】加熱時における内圧の上昇を抑制できる蓋付カップ容器を提供する。【解決手段】開口部２ａがシール材２４で密封された有底筒状のカップ体２と、カップ体２に被着され、シール材２４を覆う天壁部２２を有する蓋体３と、天壁部２２に形成された第１貫通孔３１の上方、または第１貫通孔３１内に配置され、シール材２４を破断して開封する開封部材３３と、を備える蓋付カップ容器１であって、開封部材３３は、前端に切刃が形成され、かつ後端がヒンジ部を介して天壁部２２に連結された切刃部３４と、切刃部３４から後方に向けて突出するとともに、第１貫通孔３１を通してシール材２４に対向する操作部３５と、を備え、操作部３５には、下方に向けて突出し、カップ体２内の加圧時に膨出するシール材２４により突き上げられる突き上げ突起６１が形成されていることを特徴とする。【選択図】図２
2015209261.tif 000002
【特許請求の範囲】
【請求項１】
開口部がシール材で密封された有底筒状のカップ体と、
前記カップ体に被着され、前記シール材を覆う天壁部を有する蓋体と、
前記天壁部に形成された貫通孔の上方、または該貫通孔内に配置され、前記シール材を破断して開封する開封部材と、を備える蓋付カップ容器であって、
前記開封部材は、
前端に切刃が形成され、かつ後端がヒンジ部を介して前記天壁部に連結された切刃部と、
前記切刃部から後方に向けて突出するとともに、前記貫通孔を通して前記シール材に対向する操作部と、を備え、
前記操作部には、下方に向けて突出し、前記カップ体内の加圧時に膨出するシール材により突き上げられる突き上げ突起が形成されていることを特徴とする蓋付カップ容器。
【請求項２】
前記切刃部は、容器軸に対して前方に位置し、
前記突き上げ突起の少なくとも一部は、容器軸に対して後方に位置していることを特徴とする請求項１記載の蓋付カップ容器。
【発明の詳細な説明】
【技術分野】
【０００１】
本発明は、蓋付カップ容器に関する。
【背景技術】
【０００２】
従来から、蓋付カップ容器として、開口部がシール材で密封された有底筒状のカップ体と、カップ体に被着され、シール材を覆う天壁部を有する蓋体と、天壁部に連結されてシール材を破断して開封する開封部材と、を備えた構成が知られている（例えば、下記特許文献１参照）。
【先行技術文献】
【特許文献】
【０００３】
【特許文献１】実用新案登録第２５８９１５１号公報
【発明の概要】
【発明が解決しようとする課題】
【０００４】
しかしながら、上述した従来の蓋付カップ容器にあっては、例えば電子レンジや湯せん等によってカップ体内の内容物を加熱する際、カップ本体の内圧が過度に高くなるおそれがあった。
【０００５】
本発明は、このような事情に鑑みてなされたものであって、加熱時における内圧の上昇を抑制できる蓋付カップ容器を提供することを目的としている。
【課題を解決するための手段】
【０００６】
上記課題を解決するために、本発明は以下の手段を提案している。
本発明に係る蓋付カップ容器は、開口部がシール材で密封された有底筒状のカップ体と、前記カップ体に被着され、前記シール材を覆う天壁部を有する蓋体と、前記天壁部に形成された貫通孔の上方、または該貫通孔内に配置され、前記シール材を破断して開封する開封部材と、を備える蓋付カップ容器であって、前記開封部材は、前端に切刃が形成され、かつ後端がヒンジ部を介して前記天壁部に連結された切刃部と、前記切刃部から後方に向けて突出するとともに、前記貫通孔を通して前記シール材に対向する操作部と、を備え、前記操作部には、下方に向けて突出し、前記カップ体内の加圧時に膨出するシール材により突き上げられる突き上げ突起が形成されていることを特徴としている。
【０００７】
この構成によれば、内容物の加熱等によりカップ体内が加圧され、シール材が膨張すると、シール材の膨張部分が貫通孔を通して突き上げ突起に接触することで、突き上げ突起を介して操作部が突き上げられる。すると、切刃部がヒンジ部周りに回動して、シール材を押下することで、シール材が破断される。これにより、カップ体内の内容物から発生した蒸気が、シール材のうち切刃により破断された部分を通して外部に逃げる。その結果、カップ体の内圧を開放することができ、加熱時における内圧の上昇を抑制できる。
【０００８】
また、前記切刃部は、容器軸に対して前方に位置し、前記突き上げ突起の少なくとも一部は、容器軸に対して後方に位置していてもよい。
この構成によれば、切刃部と突き上げ突起との間の距離を確保できるので、シール材をより小さな力で破断し易くなる。
【発明の効果】
【０００９】
本発明に係る蓋付カップ容器によれば、加熱時における内圧の上昇を抑制できる。
【図面の簡単な説明】
【００１０】
【図１】本実施形態における蓋付カップ容器の平面図である。
【図２】図１のＡ−Ａ線に相当する断面図である。
【図３】本実施形態における蓋付カップ容器の他の構成を示す平面図である。
【図４】図３のＢ−Ｂ線に相当する断面図である。
【発明を実施するための形態】
【００１１】
以下、本発明の実施形態について、図面を参照して説明する。
図１、図２に示すように、本実施形態の蓋付カップ容器１は、内容物が収容されるとともに、開口部２ａがシール材２４で密封された有底筒状のカップ体２と、カップ体２に被着され、シール材２４を覆う有頂筒状の蓋体３と、蓋体３に着脱可能に装着された有頂筒状のオーバーキャップ４（図２参照）と、を備えている。なお、カップ体２、蓋体３、及びオーバーキャップ４は、それぞれの中心軸が共通軸上に位置している。以下、この共通軸を容器軸Ｏといい、容器軸Ｏに沿うカップ体２側を単に下側、オーバーキャップ４側を単に上側という。さらに、容器軸Ｏ方向から見た平面視で容器軸Ｏに直交する方向を径方向といい、容器軸Ｏ周りに周回する方向を周方向という。
【００１２】
図２に示すように、カップ体２の胴部１１は下方から上方に向かうに従い漸次拡径されている。また、胴部１１の上端縁には、径方向の外側に向かって突出する外フランジ部１２が全周に亘って形成されている。
また、カップ体２の外フランジ部１２には、カップ体２の開口部２ａを上方から覆うシール材２４が貼着されている。これにより、カップ体２がシール材２４で密封されている。なお、シール材２４には、例えば合成樹脂フィルムをアルミニウム等の金属膜で被覆した熱融着性樹脂シートや、樹脂フィルム等が好適に用いられる。また、シール材２４は、接着や、熱溶着、超音波溶着等の各種溶着等、種々の手段を用いて貼着することが可能である。
【００１３】
図１、図２に示すように、蓋体３は、カップ体２の外フランジ部１２を径方向の外側から囲繞する周壁部２１と、周壁部２１の上端開口部を閉塞する天壁部２２と、周壁部２１よりも小径とされ、天壁部２２から上方に向けて立設された突出筒２３と、を備えている。また、本実施形態において、蓋体３は、天壁部２２の下面が上述したシール材２４に接着や、各種溶着等の手段を用いて貼着されることで、カップ体２に着脱不能に取り付けられている。但し、シール材２４を天壁部２２の下面に貼着せず、周壁部２１をアンダーカット嵌合等の方法により外フランジ部１２に装着し、蓋体３をカップ体２に対して着脱可能に取り付けても構わない。
【００１４】
天壁部２２には、容器軸Ｏ方向に貫通する第１貫通孔（貫通孔）３１が形成されている。この第１貫通孔３１は、図１に示すように、径方向のうち一方向Ｌ１に沿って延在しており、後述する開封部材３３の外形形状に対応する形状を呈している。なお、第１貫通孔３１のうち、一方向Ｌ１の一端側は他端側に比べて天壁部２２の外周寄りに位置している。なお、以下の説明では、一方向Ｌ１のうち、一端側を前方といい、他端側を後方という。
【００１５】
また、天壁部２２のうち、第１貫通孔３１の上方、及び第１貫通孔３１内に位置する部分にはシール材２４を破断して蓋付カップ容器１を開封する開封部材３３が配設されている。開封部材３３は、前方に位置する切刃部３４と、後方に位置して切刃部３４に連設された操作部３５と、これら切刃部３４及び操作部３５間を接続する接続部３６と、を備えている。
【００１６】
切刃部３４は、第１貫通孔３１内に位置するとともに、容器軸Ｏ方向から見た平面視において、一方向Ｌ１に直交する他方向Ｌ２に沿う幅が前方に向かうに従い先細っている。また、切刃部３４には、他方向Ｌ２に沿う両側に向けて突出する一対の突出片３７が連設されている。これら突出片３７は、他方向Ｌ２の外側に向かうに従い一方向Ｌ１における幅が漸次縮小している。具体的に、突出片３７の前端縁は、切刃部３４の前端縁に滑らかに連なり、後端縁は他方向Ｌ２に沿って延在している。また、突出片３７は、その後端縁がそれぞれヒンジ部３８を介して天壁部２２に連結されている。これらヒンジ部３８は、容器軸Ｏよりも前方に位置するとともに、他方向Ｌ２に沿って延在している。これにより、開封部材３３がヒンジ部３８周りに回動可能とされている。なお、切刃部３４、及び突出片３７の前端縁が本実施形態の切刃を構成している。そして、図示の例において、切刃は、シール材２４の外周部上に配設されている。
【００１７】
操作部３５は、容器軸Ｏ方向から見た平面視で円環状とされ、シール材２４に対して上方に間隔をあけて配設されている。また、操作部３５の内側には、開封時における指挿入用の第２貫通孔４１が形成されている。なお、図示の例において、第２貫通孔４１は、容器軸Ｏと同軸状に形成されている。
接続部３６は、容器軸Ｏ方向から見た平面視で矩形状とされるとともに、前方から後方に向かうに従い上方に向けて傾斜して延在している。
【００１８】
このように、本実施形態の開封部材３３は、切刃部３４、操作部３５、接続部３６、及び突出片３７により構成されるとともに、その外形が容器軸Ｏ方向から見た平面視で上述した第１貫通孔３１と同等の形状を呈している。
また、上述したシール材２４は、天壁部２２の下面全体に接着や溶着等の手段を用いて貼着されるとともに、上述した第１貫通孔３１を下方から覆っている。なお、本実施形態において、シール材２４は、開封部材３３のうち、天壁部２２の下面と面一で配置される部分（切刃部３４及び突出片３７）にも貼着されている（図２参照）。
【００１９】
また、天壁部２２のうち、開封部材３３に対して他方向Ｌ２の両側に位置する部分には、一方向Ｌ１に沿って延びる一対のスリット４３が形成されている。各スリット４３のうち、一方向Ｌ１で操作部３５及び接続部３６と同等に位置する部分は、これら操作部３５及び接続部３６に対して他方向Ｌ２に間隔をあけて延在し、切刃部３４及び突出片３７と同等に位置する部分は、これら切刃部３４及び突出片３７の前端縁（切刃）に沿って延在している。
【００２０】
したがって、各スリット４３は、他方向Ｌ２の両側から開封部材３３を取り囲むとともに、開封部材３３における前端縁で合流している。また、スリット４３のうち、一方向Ｌ１で接続部３６と同等に位置する部分（ヒンジ部３８よりも後方に位置する部分）には、スリット４３の他方向Ｌ２で対向する内壁面同士の間を破断可能に連結する連結片４４が形成されている。なお、図示の例において、スリット４３の後部は容器軸Ｏよりも後方に位置している。また、開封操作時において、天壁部２２のうち、開封部材３３を含むスリット４３に囲まれた内側部分を、外側部分に対して分離可能とする構成であれば、スリット４３に代えて、例えば天壁部２２に対して破断可能な程度の薄肉に形成された薄肉部としても構わない。また、連結片４４を設けない構成としても構わない。
【００２１】
さらに、天壁部２２のうち、一方向Ｌ１に沿う開封部材３３よりも後方に位置する部分には、他方向Ｌ２に間隔をあけた状態で上方に向けて突出する一対の係止壁５１が配設されている。これら係止壁５１には、他方向Ｌ２に沿う内側に向けて突出する係止突部５１ａが各別に形成されている。そして、各係止壁５１（係止突部５１ａ）には、開封時において開封部材３３の各突出片３７や、天壁部２２のうちヒンジ部３８を介して各突出片３７と折り重なる部分が各別に係止され、開封部材３３の復元変位を規制するようになっている。
【００２２】
突出筒２３は、上端縁が開封部材３３及び係止壁５１よりも上方に位置し、開封部材３３及び係止壁５１を径方向の外側から囲繞している。また、突出筒２３のうち、開封部材３３に対してＬ１方向の後方で対向する部分には、下方に向けて窪む収容部５５が形成されている。この収容部５５は、開封時において開封部材３３の接続部３６が収容されるようになっている。すなわち、開封時において、操作部３５は容器軸Ｏ方向から見た平面視において、カップ体２に対して後方に突出した状態となる。
【００２３】
ここで、開封部材３３の操作部３５には、下方に向けて突出する突き上げ突起６１が形成されている。突き上げ突起６１は、図１に示すように、操作部３５後部の内周部分に位置するとともに、容器軸Ｏ方向から見た平面視において、第２貫通孔４１の開口縁に沿って延びる円弧状を呈している。すなわち、突き上げ突起６１は、容器軸Ｏよりも後方に位置している。なお、容器軸Ｏ方向から見た平面視において、切刃部３４の中央部と突き上げ突起６１の中央部とは、一方向Ｌ１に沿う同一直線上に位置している。
【００２４】
また、突き上げ突起６１は、図２に示すように、容器軸Ｏ方向に沿う縦断面視が長方形状とされ、その下端面が平坦面とされている。なお、図示の例において、突き上げ突起６１の下端面は、容器軸Ｏ方向における高さが天壁部２２の上面と同等の高さに位置しており、第１貫通孔３１を通してシール材２４に容器軸Ｏ方向で対向している。すなわち、容器軸Ｏ方向において、シール材２４と突き上げ突起６１の下端面との間の距離は、シール材２４と操作部３５の下面との間の距離よりも狭くなっている。
【００２５】
次に、上述した蓋付カップ容器１の作用を説明する。以下の説明では、例えば電子レンジや湯せん等によって蓋付カップ容器１内の内容物を加熱した後、蓋付カップ容器１を開封する方法について説明する。
まず、内容物を加熱すると、加熱によって蓋付カップ容器１の内圧が上昇するとともに、それに伴ってシール材２４が上方に向けて膨張する。すると、シール材２４のうち、開封部材３３の操作部３５及び接続部３６と容器軸Ｏ方向で重なる部分が、第１貫通孔３１を通過して天壁部２２よりも上方に向けて膨張することになる。
【００２６】
その後、シール材２４のうち、第１貫通孔３１を通過した部分は、突き上げ突起６１の下端面に接触して、突き上げ突起６１を介して操作部３５を上方に向けて突き上げる。すると、開封部材３３がヒンジ部３８周りに回動し、切刃部３４の前端部が下降してシール材２４を押下することで、シール材２４が破断される。これにより、カップ体２内の内容物から発生した蒸気が、シール材２４のうち切刃部３４により破断された部分（不図示）を通して外部に逃げる。その結果、カップ体２の内圧を開放することができ、加熱時における内圧の上昇を抑制できる。
【００２７】
なお、本実施形態では、上述したようにヒンジ部３８よりも後方に位置する部分において、スリット４３の内壁面同士が連結片４４によって連結されているため、操作部３５の上昇に伴い、スリット４３に囲まれた内側部分全体が上昇するのを抑制できる。この場合、操作部３５の上昇に伴い、開封部材３３をヒンジ部３８周りに積極的に回動させ、切刃部３４によってシール材２４を確実に破断できる。
【００２８】
次に、内容物の加熱後、蓋付カップ容器１を開封する方法について説明する。本実施形態の蓋付カップ容器１においては、複数種類（例えば３種類）の開封操作の中から、操作者が適宜操作を選択できるようになっている。
第１操作では、まず操作部３５の第２貫通孔４１内に指を挿入し、操作部３５を上方に向けて引き上げ、開封部材３３を、操作部３５が上方に位置し、切刃部３４が下方に位置する起立姿勢とする。すなわち、開封部材３３をヒンジ部３８周りに回動させると、開封部材３３における切刃部３４の前端部が下降してシール材２４を押下することで、シール材２４が大きく破断される。具体的に、シール材２４は、スリット４３のうち、切刃部３４及び突出片３７の前端縁（切刃）に沿って引き裂かれることになる。これにより、シール材２４のうち、切刃部３４及び突出片３７に対応する部分に、容器軸Ｏ方向から見た平面視で三角形状の開口が形成される。
【００２９】
そして、カップ体２の内外がシール材２４の開口を通して連通することで、蓋付カップ容器１が開封される。なお、この状態でシール材２４の開口を飲み口や注出口として利用することで、蓋付カップ容器１内の内容物を得ることができる。
【００３０】
また、第２操作では、上述した第１操作後、操作部３５を後方に向けて引き寄せる。すると、連結片４４が破断されるとともに、シール材２４のうち、切刃部３４及び突出片３７に貼着された部分が、開封部材３３とともに後方に向けて移動する。これにより、シール材２４は、スリット４３に沿って引き裂かれることになり、シール材２４のうち、スリット４３に囲まれた内側部分に容器軸Ｏ方向から見た平面視で五角形状の開口が形成される。すなわち、第２操作では、第１操作に比べて大きい開口を形成できる。
【００３１】
その後、操作部３５を下方に向けて押し込むと、開封部材３３の各突出片３７や、天壁部２２のうちヒンジ部３８を介して各突出片３７と折り重なる部分が各係止壁５１の係止突部５１ａに各別に係止されるとともに、開封部材３３の接続部３６が収容部５５内に収容される。これにより、開封部材３３の復元変位が規制される。
【００３２】
また、第３操作では、上述した第１操作を行うことなく、開封部材３３を後方に向けて引き寄せ、蓋付カップ容器１を開封する。すなわち、上述した第２操作と同様に、シール材２４は、スリット４３に沿って引き裂かれることになり、シール材２４のうち、スリット４３に囲まれた内側部分に容器軸Ｏ方向から見た平面視で五角形状の開口を形成することができる。
【００３３】
このように、本実施形態では、操作部３５に突き上げ突起６１が形成されているため、カップ体２内の加圧時に膨出するシール材２４によって突き上げ突起６１を介して操作部３５が突き上げられることで、シール材２４が切刃部３４により破断される。これにより、カップ体２内の内容物から発生した蒸気が、シール材２４のうち切刃部３４により形成された開口を通して外部に逃げる。その結果、カップ体２の内圧を開放することができ、加熱時における内圧の上昇を抑制できる。
【００３４】
また、本実施形態では、切刃部３４が容器軸Ｏに対して前方に位置し、突き上げ突起６１が容器軸Ｏに対して後方に位置しているので、切刃部３４と突き上げ突起６１との間の一方向Ｌ１における距離を確保でき、シール材２４をより小さな力で破断し易くなる。
さらに、本実施形態では、操作部３５の内周部分に突き上げ突起６１が形成されているため、開封操作時において、操作部３５内を通して指等を進入させた場合に、突き上げ突起６１の後面、及び操作部３５の外周部分に指等を引っ掛けることができる。これにより、シール材２４の開封操作性を向上させることができる。
また、操作部３５の内周部分に突き上げ突起６１が形成されているため、突き上げ突起６１を容器軸Ｏ寄りに配置することが可能になる。その結果、シール材２４を過度に膨出変形させることなく、シール材２４を切刃によって破断できる。
【００３５】
以上、本発明の実施形態について図面を参照して詳述したが、具体的な構成はこの実施形態に限られるものではなく、本発明の要旨を逸脱しない範囲の設計変更等も含まれる。
【００３６】
例えば、上述した実施形態では、操作部３５後部の内周部分に突き上げ突起６１が形成された構成について説明したが、これに限られない。すなわち、カップ体２内の加圧時に膨出するシール材２４によって突き上げ突起６１を介して操作部３５を突き上げる構成であれば、操作部３５の任意の位置に突き上げ突起６１を形成することが可能である。この場合、例えば図３、図４に示すように、操作部３５のうち、他方向Ｌ２の両側に位置する部分に一対の突き上げ突起６１を形成しても構わない。なお、各突き上げ突起６１は、容器軸Ｏ方向から見た平面視において、切刃部３４の中央部を通り一方向Ｌ１に沿って延びる対称線を中心にして線対称となる位置に配設されている。
【００３７】
また、突き上げ突起６１を接続部３６に配設しても構わない。
さらに、上述した実施形態では、複数種類の開封操作を行えるような構成について説明したが、これに限らず、少なくとも第１操作のみが行えるような構成であれば構わない。
さらに、上述した実施形態では、開封部材３３のほぼ全体を他方向Ｌ２の両側から取り囲むようにスリット４３を形成した場合について説明したが、これに限らない。例えば、第１操作のみが行えるような構成を採用した場合には、切刃部３４及び突出片３７の前端縁のみに沿ってスリット４３を形成しても構わない。
【００３８】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００３９】
１…蓋付カップ容器
２…カップ体
２ａ…開口部
３…蓋体
２２…天壁部
２４…シール材
３１…第１貫通孔（貫通孔）
３３…開封部材
６１…突き上げ突起
【図１】
2015209261.tif 000003
【図２】
2015209261.tif 000004
【図３】
2015209261.tif 000005
【図４】
2015209261.tif 000006